(57)【要約】      （修正有）【課題】映像のフレームレートや縦横辺の画素数等の違いがあっても、紙めくり疑似動画として、スムースな動きのある紙めくり疑似動画の印刷方法を提供する。【解決手段】疑似動画製作システム１は、ユーザーからアップロードされる動画データを保存し、動画データから切出したプレビュー画面を提示するコンテンツ変換部３０と紙めくり疑似動画として印刷する画像の領域を選定させるとともに、動画データを再生するときの開始時点と終了時点とを任意に決められるスライダー画面を提示し、紙めくり疑似動画として印刷する切出し時間を選定させ、利用した画像の領域と切出し時間とから選定される選定動画データから、予め定めた枚数の選定静止画を抽出する割付マッチング処理部５０とそれを印刷・製本する印刷機６０及び製本機６５を有する。【選択図】図９
2018006972.tif 000002
【特許請求の範囲】
【請求項１】
ユーザーからアップロードされる動画データを保存し、前記動画データから変化する静止画を所定の枚数抽出し、前記静止画を印刷し、前記印刷された一連の静止画の集まりである静止画群が、紙をめくることで動画的に視認される紙めくり疑似動画の作成方法において、
前記ユーザーに前記動画データから切出したプレビュー画面を提示し、前記紙めくり疑似動画として利用したい画像の領域を選定させ、
前記ユーザーに前記動画データを再生するときの開始時点と終了時点とを任意に決められるスライダー画面を提示し、前記紙めくり疑似動画として印刷する開始時点と終了時点とを指定することで切出し時間を選定させ、
前記利用したい画像の領域と前記切出し時間とから選定される選定動画データから、予め定めた枚数の選定静止画像を抽出し印刷することを特徴とする紙めくり疑似動画の作成方法。
【請求項２】
前記ユーザーに前記選定静止画を提示し、前記選定静止画の中から表紙として用いる静止画を選定させることを特徴とする請求項１に記載の紙めくり疑似動画の作成方法。
【請求項３】
前記表紙の選定に併せて、前記ユーザーに前記表紙の背景となる背景パターンを複数提示し、前記背景パターンの中から前記表紙の背景を選定させることを特徴とする請求項２に記載の紙めくり疑似動画の作成方法。
【請求項４】
前記静止画の印刷ロット数が大ロットの場合はオフセット印刷により印刷し、小ロットの場合はデジタル印刷により印刷することを特徴とする請求項１から３のいずれかに記載の紙めくり疑似動画の作成方法。
【請求項５】
異なるユーザーの前記静止画を前記デジタル印刷により印刷する際に、印刷紙面上に紙めくり疑似動画の連番として各静止画を串刺し配置し、紙めくり疑似動画の順番で丁合印刷することを特徴とする請求項４に記載の紙めくり疑似動画の作成方法。
【請求項６】
請求項１から５のいずれかに記載の紙めくり疑似動画の作成方法をコンピュータに実行させるためのプログラム。
【請求項７】
ユーザーからアップロードされる動画データを保存するクラウドサーバと、前記クラウドサーバに保存された前記動画データから変化する静止画を所定の枚数抽出し静止画として変換するコンテンツ変換装置と、前記静止画を紙めくり疑似動画として印刷する印刷装置とを備えた紙めくり疑似動画の製作システムにおいて、
前記コンテンツ変換装置は、前記ユーザーに前記動画データから切出したプレビュー静止画を提示し、前記紙めくり疑似動画として利用したい画像の領域を選定させるトリミング部と、
前記ユーザーに前記動画データを再生するときの開始時点と終了時点とを任意に決められるスライダー画面を提示し、前記紙めくり疑似動画として印刷する開始時点と終了時点とを指定することで切出し時間を選定させる時間設定部と、
前記利用したい画像の領域と前記切出し時間とから選定される選定動画データから、予め定めた枚数の選定静止画を抽出する静止画書出し部とを備えたことを特徴とする紙めくり疑似動画の製作システム。
【請求項８】
前記ユーザーに前記選定静止画を提示し、前記選定静止画の中から表紙として用いる画像を選定させる表紙デザイン生成部とを備えたことを特徴とする請求項７に記載の紙めくり疑似動画の製作システム。
【請求項９】
前記静止画を印刷する際のオフセット印刷とデジタル印刷との色調をマッチングさせるカラーマッチング処理部を備えたことを特徴とする請求項７又は８に記載の疑似動画の製作システム。
【請求項１０】
異なるユーザーの前記静止画を前記デジタル印刷により印刷する際に、印刷紙面上に紙めくり疑似動画の連番として各静止画を串刺し配置する静止画自動割付部を備えたことを特徴とする請求項７から９のいずれかに記載の疑似動画の製作システム。
【発明の詳細な説明】
【技術分野】
【０００１】
本発明は、ビデオカメラ、スマホ、携帯電話等により撮像された撮像画像（動画データ）を、少しずつ動作位置をずらした静止画として抽出（サンプリング）して、印刷機により多数枚印刷し、多数枚印刷した静止画が紙めくり疑似動画となる紙めくり疑似動画の印刷・製本方法等に関する。
【背景技術】
【０００２】
近年、デジタルビデオカメラ、カメラ付きスマートフォン・携帯電話などの普及と、ブログやYouTube（登録商標）など、私的な動画コンテンツを公開できるメディアの台頭等により、一般の人も自分の日常を動画で記録することが容易になった。
【０００３】
このような動画コンテンツに関する技術の進展により、イベントや子供の成長を動画として記録する、あるいは自分のフォームを分析してスポーツの上達を早めるために動画を記録することが日常的に行われている。誰でも日常的に動画コンテンツを記録できることによって、多くの人が膨大な動画コンテンツを所有している。
【０００４】
しかし、動画コンテンツは長時間にわたり録画されているケースが多いため、自分の見たいところだけを再生し視聴することは、静止画に比べると思いのほか煩わしい。このため、これはと思う場面や瞬間を素早く簡単に楽しみたいとのニーズが高まっている。また、インターネットやスマートフォンなどに精通していない者にも身近な動画コンテンツを楽しみたいというニーズがある。
【０００５】
このようなニーズに応えるものとして、動画コンテンツから目的とする場面をすこしずつ紙媒体に印刷し、これを束ねて印刷・製本した紙めくり疑似動画（いわゆるパラパラ漫画）がある。
【０００６】
紙めくり疑似動画は、各紙毎に印刷された静止画をパラパラとめくる（コマ送りする）ことにより、各紙に印刷された画像が疑似的に移動しながら、動画的に視認されることができるものである。これは、少しずつ動作位置をずらした静止画を各紙毎に１画像ずつ印刷し、該１画像ずつ印刷した紙を束ねて製本した後、製本した各紙の画像をめくる(コマ送り)ことにより、各紙毎の静止画が擬似的に移動しながら動画的に視認される、というものである。このような紙めくり疑似動画を作成する技術としては、下記特許文献１、特許文献２があげられる。
【０００７】
特許文献１に記載の技術は、ビデオカメラより撮像された撮像画像が、印刷機側より発信されるタイミング信号に基づいてサンプリングされるとともに、一枚の紙に複数のｍコマ印刷する場合には、サンプリングタイミングがビデオカメラの撮像サイクルより遅いタイミングで且つ前記印刷機の規定印刷速度の整数倍(ｎ×ｍ)であり、又前記コマ画像を一枚の紙に一コマずつ印刷する場合には、サンプリングタイミングが前記印刷機の規定印刷速度(ｎ)に設定する。これにより、印刷機側より発信されるタイミング信号に基づいてサンプリングされるとともに、該サンプリングタイミングが前記印刷機の規定印刷速度の整数倍(ｎ×ｍ)となることから、パソコンでの編集作業も、メモリへの一時保存作業も不要となり、単にビデオカメラよりの撮像ビデオデータをそのまま前記規定印刷速度に対応するタイミング信号に基づいて前記静止画を順次印刷機の画像処理部側に読み出しながら、所定のコマ画像が自動的に印刷出来る、というものである。下記特許文献１に記載の技術によれば、編集ソフトや編集した多数枚の静止ビデオデータを保存する大容量メモリ等を必要とせず、簡単にビデオ画像の映像を、コマ送りの印刷群として作成できる。
【０００８】
特許文献２に記載の技術は、動画像を静止画として切出して、コマ送り写真形式で紙媒体上に印刷可能とすることにより、動きのある動画像を紙媒体で保存、鑑賞できるようにするものである。特許文献２においては、記録媒体から読み込まれた動画ファイルのうち選択された動画ファイルについて、動画フレーム抽出部によりフレーム抽出して静止画として切出して、印刷用画像合成部により、入力部により選択されたプリントスタイルに基づいて、切出された静止画を時間順に並べて配置して合成することによりコマ送り写真方式の印刷用画像を作成し、入力部により指定された枚数分印刷部により印刷出力する、というものである。
【先行技術文献】
【特許文献】
【０００９】
【特許文献１】特開２００１−２４９７２号
【特許文献２】特開２００５−３９６２６号
【発明の開示】
【発明が解決しようとする課題】
【００１０】
上述したように特許文献１に記載の技術は、コマ送り動画を抽出するサンプリングタイミングを、ビデオカメラの撮像サイクルより遅いタイミングで且つ印刷機の規定印刷速度の整数倍（ｎ×ｍ）に設定することで、印刷機側より発信されるタイミング信号に基づいてサンプリングする。かかるサンプリングタイミングにより得られた静止画の集まりである静止画を紙媒体に印刷し、紙めくり疑似動画を作成するものである。しかし、紙めくり疑似動画が映像のように動くか否かは、入稿される映像のフレームレートや縦横辺の画素数、静止画として切出し印刷する紙の枚数等で異なる。このため、一般ユーザーがスマートフォン等で撮影された映像と、企業がビジネス用途として撮影した映像コンテンツやプロに依頼し、特定の目的の下に撮影した映像とでは、紙めくり疑似動画としての切出す条件がそれぞれ異なる。このため、特許文献１が開示する技術では、入稿される映像によっては、印刷されたコマ送り紙媒体群をパラパラめくっても動きのある動画像として見ることができない場合がある。
【００１１】
また、下記特許文献２に記載の技術は、指定された動画ファイルから静止画を切出して、切出された静止画をコマ送り写真形式で印刷出力しコマ送り紙媒体群とするものであるが、上述したように一般ユーザーがスマートフォン等で撮影した映像は撮影時間、フレームレート、縦横辺の画素数、静止画として切出したい映像の部分等がまちまちである。このため、特許文献２が開示するような規定のフレームに併せて静止画を切出し印刷した紙めくり疑似動画をパラパラめくっても動きのある動画像とならない場合がある。
【００１２】
また次のような課題もある。即ち、企業による販売が予定され、大量に印刷・製本が見込まれるものと、一般ユーザーが自分や家族のために注文するものとでは、印刷コストに違いが生じる。このため、印刷部数が少ない場合には、データの製作費用や、印刷の版代金などの初期費用がかさむため、一部単価が高額になる、という問題である。また、販売を見込んだ大ロットの生産は、在庫や売れ残りのリスクを伴う、という問題もある。このため、入稿する映像の品質や印刷・製本の部数に応じた最適な紙めくり疑似動画の印刷方法が必要となる。
【００１３】
そこで本発明の課題は、入稿される映像のフレームレートや縦横辺の画素数が異なっても、また静止画として切出し印刷する紙めくり疑似動画の印刷ロット数が大小いずれであっても、スムースな動きのある動画像となる紙めくり疑似動画の印刷方法を提供することにある。また、印刷・製本する部数（ロット数）に応じた低コストの紙めくり疑似動画の印刷方法を提供するとともに、印刷方式の違いによる色調の違いを防止するカラーマッチング技術を提供することにある。
【課題を解決するための手段】
【００１４】
請求項１に記載の発明は、ユーザーからアップロードされる動画データを保存し、前記動画データから変化する静止画を所定の枚数抽出し、前記静止画を印刷し、前記印刷された一連の静止画の集まりである静止画群が、紙をめくることで動画的に視認される紙めくり疑似動画の作成方法において、
前記ユーザーに前記動画データから切出したプレビュー画面を提示し、前記紙めくり疑似動画として利用したい画像の領域を選定させ、
前記ユーザーに前記動画データを再生するときの開始時点と終了時点とを任意に決められるスライダー画面を提示し、前記紙めくり疑似動画として印刷する開始時点と終了時点とを指定することで切出し時間を選定させ、
前記利用したい画像の領域と前記切出し時間とから選定される選定動画データから、予め定めた枚数の選定静止画像を抽出し印刷することを特徴とする紙めくり疑似動画の作成方法である。
【００１５】
請求項２に記載の発明は、請求項１に記載の紙めくり疑似動画の作成方法であって、前記ユーザーに前記選定静止画を提示し、前記選定静止画の中から表紙として用いる静止画を選定させることを特徴とする。
【００１６】
請求項３に記載の発明は、請求項２に記載の紙めくり疑似動画の作成方法であって、前記表紙の選定に併せて、前記ユーザーに前記表紙の背景となる背景パターンを複数提示し、前記背景パターンの中から前記表紙の背景を選定させることを特徴とする。
【００１７】
請求項４に記載の発明は、請求項１から３のいずれかに記載の紙めくり疑似動画の作成方法であって、前記静止画の印刷ロット数が大ロットの場合はオフセット印刷により印刷し、小ロットの場合はデジタル印刷により印刷することを特徴とする。
【００１８】
請求項５に記載の発明は、請求項４に記載の紙めくり疑似動画の作成方法であって、異なるユーザーの前記静止画を前記デジタル印刷により印刷する際に、印刷紙面上に紙めくり疑似動画の連番として各静止画を串刺し配置し、紙めくり疑似動画の順番で丁合印刷することを特徴とする。
【００１９】
請求項６に記載の発明は、請求項１から５のいずれかに記載の紙めくり疑似動画の作成方法をコンピュータに実行させるためのプログラムである。
【００２０】
請求項７に記載の発明は、ユーザーからアップロードされる動画データを保存するクラウドサーバと、前記クラウドサーバに保存された前記動画データから変化する静止画を所定の枚数抽出し静止画として変換するコンテンツ変換装置と、前記静止画を紙めくり疑似動画として印刷する印刷装置とを備えた紙めくり疑似動画の製作システムにおいて、
前記コンテンツ変換装置は、前記ユーザーに前記動画データから切出したプレビュー静止画を提示し、前記紙めくり疑似動画として利用したい画像の領域を選定させるトリミング部と、
前記ユーザーに前記動画データを再生するときの開始時点と終了時点とを任意に決められるスライダー画面を提示し、前記紙めくり疑似動画として印刷する開始時点と終了時点とを指定することで切出し時間を選定させる時間設定部と、
前記利用したい画像の領域と前記切出し時間とから選定される選定動画データから、予め定めた枚数の選定静止画を抽出する静止画書出し部とを備えたことを特徴とする紙めくり疑似動画の製作システムである。
【００２１】
請求項８に記載の発明は、請求項７に記載の紙めくり疑似動画の製作システムであって、前記ユーザーに前記選定静止画を提示し、前記選定静止画の中から表紙として用いる画像を選定させる表紙デザイン生成部とを備えたことを特徴とする。
【００２２】
請求項９に記載の発明は、請求項７又は８に記載の疑似動画の製作システムであって、前記静止画を印刷する際のオフセット印刷とデジタル印刷との色調をマッチングさせるカラーマッチング処理部を備えたことを特徴とする。
【００２３】
請求項１０に記載の発明は、請求項７から９のいずれかに記載の疑似動画の製作システムであって、異なるユーザーの前記静止画を前記デジタル印刷により印刷する際に、印刷紙面上に紙めくり疑似動画の連番として各静止画を串刺し配置する静止画自動割付部を備えたことを特徴とする。
【発明の効果】
【００２４】
本発明によれば、入稿される映像のフレームレートや縦横辺の画素数、撮影速度等が異なる動画データであっても、スムースな動きのある動画像となる紙めくり疑似動画を製作することができる。また、印刷・製本する部数（ロット数）に応じたコストで紙めくり疑似動画を製作することができるとともに、印刷方式が異なっても色調の違いが生じない紙めくり疑似動画を製作することができる。
【発明を実施するための最良の形態】
【００２５】
以下、本発明の一実施の形態について図面を参照して説明するが、本発明はこれに限定されるものではない。図１は本発明の一実施の形態である紙めくり疑似動画の製作フローチャートである。ユーザーがアップロードする映像コンテンツ（動画データ）は、撮影時間やフレームレート、縦横辺の画素数等が様々である。例えば、一般ユーザーが自分のスマートフォンや携帯電話、あるいはビデオカメラ等で撮影した動画データである。あるいは動画データの製作プロフェッショナルに依頼し、特定の目的の下に撮影された動画データであり、また企業があるビジネスの用途として撮影し使用している動画データである。
【００２６】
ユーザーは動画データをパソコン等のディスプレイに表示される動画データ・アップロード画面に従い、画面上に動画データをドラッグ・アンド・ドロップする。これによりアップロード処理が自動的に開始され、クラウドサーバに動画データが格納される。なお、アップロード中はプログレスバー等により、動画データがアップロードされている状況を表示することが望ましい。
【００２７】
このようにしてアップロードされた動画データからプレビュー用の静止画が自動生成される。ユーザーはかかる静止画に基づいて利用したい画像の領域を選択する（Ｓ１）。なお、詳細は図２に示す利用したい画像の領域の選択フローチャートにて説明する。
【００２８】
次に、動画データから切出したい時間帯（開始ポイントから終了ポイントまでの時間）を選定する（Ｓ２）。なお、切出し時間の詳細は図３に示す切出し時間の設定フローチャートにて説明する。
【００２９】
利用したい画像の領域の選択と切出し時間の設定を終わると、紙めくり疑似動画に用いる表紙を選定する（Ｓ３）。そして紙めくり疑似動画の印刷及び製本を行うことで紙めくり疑似動画が完成する（Ｓ４）。なお、紙めくり疑似動画に用いる表紙の選定、及び紙めくり疑似動画の印刷・製本の詳細については、それぞれ図４、図５において説明する。
【００３０】
図２は利用したい画像の領域を選択するフローチャートである。クラウドサーバに格納されている動画データの縦横辺の画素数は様々であることから、先ず、動画データの縦横辺の画素数の統一を行う（Ｓ１０）。縦横辺の画素数は縦横ともに１０００ピクセルから５０００ピクセルの範囲が好ましい。かかる縦横辺の画素数よりも低いと画像の印刷が粗くなり、大きすぎると動画データの処理に時間がかかる等の問題が生じるためである。所定の限度以上の縦横辺の画素数を有する動画データは自動的に縦横辺の画素数を縮小させ、所定の限度以下の縦横辺の画素数の動画データについては、印刷画像の質が悪くなる旨のメッセージをユーザーに通知し、利用したい領域に制限をかける。
【００３１】
次に動画データからプレビュー用の静止画を作成し、これを表示する（Ｓ１１）。かかるプレビュー用の静止画から紙めくり疑似動画として利用したい領域（切出し範囲）を選定する。図３はそのイメージを示した図であるが、ユーザーはマウス操作にて切出し範囲を選択する。図３においては、縦横比は９：１６、又は３：４の比率に設定されている。かかる画面に基づいて、紙めくり疑似動画のプレビュー用静止画３３００をトリミングして紙めくり疑似動画に使用する静止画３３１０を切出し範囲とする。
【００３２】
マウス操作により選択された利用したい領域と、利用しない領域とは明暗をはっきりつけて表示している。これにより、ユーザーは選択した利用したい領域をより直感的に把握できる。また、完成品を模したフレームを表示させ、利用したい領域をリアルタイムに連動させてイメージをつかみやすく表示させる（Ｓ１３）。
【００３３】
次に、切出した紙めくり静止画を連続表示し、紙媒体に印刷する静止画を確認させる（Ｓ１４）。ここで、利用したい領域が適切でなければステップ１１又はステップ１２からの作業を再度行い、利用したい領域を再設定する。また、再度、切出しフレームのイメージを確認したい場合には、ステップ１３又はステップ１４からの作業を再度実施する。連続画像がユーザーのイメージと合致した場合には、切出し時間の設定ステップへと進む（Ｓ１６）。
【００３４】
図４は紙めくり疑似動画に用いる動画データの切出し時間の設定を行うフローチャートである。クラウドサーバにアップロードされる動画データの長さ（時間）は様々であるが、紙めくり疑似動画として印刷する枚数は、１００枚前後が基本枚数となる。このため、先にユーザーが選定した利用したい領域において、紙めくり疑似動画として使いたい切出し時間（印刷したい動画データの開始ポイントから終了ポイントまでの時間帯）を指定する。
【００３５】
先ず、本実施例においては図５に示すような切出し時間設定するスライダー画面３０００を提示し、スライダー３１３０動かすことで開始ポイント（本実施例ではスライド３１１０）と終了ポイント（本実施例ではスライド３１２０）とを指定する。スライダーをスライドさせることにより、各ポイントを１秒単位で指定できるようにしている（Ｓ２１、Ｓ２２）。
【００３６】
かかる指定時間の単位は、動画データに依存するものであるから、指定時間の単位は自在に可変できるように構成しておくことが好ましい。例えば、子供の成長を記録した動画データの場合には、子供の誕生から成人までの２０年間にわたる動画データとなる。このため、指定時間の単位は秒単位で十分である。一方において、ゴルフのスイング等、高速カメラで撮影されたコンテンツの場合には、指定時間の単位を１秒よりもより短い時間に設定できるようにしておくことが好ましい。
【００３７】
このようにして設定された利用したい領域と、指定された切出し時間の範囲内とから、本実施例においては１００枚のサムネイル用の画像を作成し、それをつなげたアニメーションファイルを作成し、紙めくり疑似動画として表示する（Ｓ２３、Ｓ２４）。そして、それで良ければ表紙の選定ステップに進み、再設定を行う場合はステップ２０からステップ２２のいずれかに戻る。また、再度、紙めくり疑似動画を見たい場合にはステップ２３に戻る。
【００３８】
図６は表紙の設定のフローチャートである。上述した工程で生成した１００枚の静止画を、図７に示すようなサムネイルと背景パターンとを表示する表示画面３1００により提示する。ユーザーはサムネイル画像３１１０の中から表紙として使いたい画像する（本実施例では９３番目の画像を選択している）。このようにしてサムネイル用画像３１１０の中から表紙として使いたい画像を選択する。
【００３９】
次に、表紙の背景パターン３１２０を用意された数種類の中から選択し（Ｓ３２）、表紙画像と背景パターンとを合成する（Ｓ３３）。そして、これまでの工程で作成した紙めくり疑似動画のデータにより画面上にて紙めくり疑似動画をアニメーション的に表示する（Ｓ３４）。表示された動画データでよければ印刷製本工程に進む。再度、表紙画像の選定に戻る場合はステップ３０に戻る。背景パターンに戻る場合はステップ３２に戻る。
【００４０】
図８は紙めくり疑似動画像データを印刷・製本するフローチャートである。複数ユーザーの紙めくり疑似動画像データを同時に印刷し製本するため、印刷台紙に一定間隔で多面付ける（Ｓ４０）。即ち、複数ユーザーの１から１００枚の静止画について同一時間（同じ順番）のコマを同じぺージ（紙面）に多面付け、これを同一ページ数分だけ繰り返して多面付けを行う。
【００４１】
印刷部数の少ない場合（小ロット印刷の場合）と、印刷部数の多い場合（大ロット印刷の場合）とでは印刷方式を変えることが好ましく、印刷出力ロット数による印刷方式を選定する（Ｓ４１）。
【００４２】
次に大ロット印刷の場合における色と、小ロット印刷の場合における色とをマッチングさせるため、大ロット印刷機となるオフセット印刷機と、小ロット印刷機となるデジタル印刷機の色差のカラーマッチングを行う（Ｓ４２）。そして、小ロット印刷の場合はデジタル印刷（Ｓ４５，Ｓ４６）、大ロットの場合はオフセット印刷（Ｓ４３，Ｓ４４）となる。
【００４３】
図９は、本発明の一実施例である紙めくり疑似動画７０を製作するための紙めくり疑似動画製作システム１の構成を示した図である。紙めくり疑似動画製作システム１は、ユーザ等のスマートフォン１０、ビデオカメラ１１、これらの撮影機器からアップロードされる動画データを格納するクラウドサーバ２０、クラウドサーバ２０に蓄積されている動画データを紙めくり疑似動画用に変換するコンテンツ変換部３０、紙めくり疑似動画の表紙を選定する表紙・デザイン生成部４０、紙めくり疑似動画データを印刷用に割付けるとともに印刷機による色誤差を少なくする割付マッチング処理部５０、印刷機６０を構成する大ロット用のオフセット印刷機６１０、小ロット用のデジタル印刷機６００、そして製本機６５を構成する大ロット用の製本機６６０、小ロット用の製本機６５０とから構成されている。
【００４４】
コンテンツ変換部３０は、動画データからプレビュー用の静止画を作成し、その静止画から紙めくり疑似動画として利用したい領域を選定（トリミング）するトリミング部３００と、疑似動画として見たい部分（切出し時間）を指定する時間設定部３１０と、紙めくり疑似動画を印刷する前にユーザーのディスプレイ上に紙めくり疑似動画をアニメーション的に表示するプレビュー部３２０、そして印刷データとして静止画を書き出す静止画書出部３３０とを備える。
【００４５】
割付マッチング処理部５０は、複数ユーザーの紙めくり疑似動画を構成する静止画について同一時間（同じ順番）のコマを同じぺージ（紙面）に多面付け、これを同一ページ数分だけ繰り返して多面付けを行う静止画自動割付部５００と、印刷機の違いによる色差の調整を行うカラーマッチング処理部５０とを備える。
【図面の簡単な説明】
【００４６】
【図１】本発明の一実施の形態である紙めくり疑似動画のフローチャートである。
【図２】利用したい画像の領域の選択フローチャートである。
【図３】マウス操作にて利用したい画像の領域を選択し、トリミングした画面を示した図である。
【図４】紙めくり疑似動画に用いる動画データの切出し時間の設定を行うフローチャートである。
【図５】開始ポイントと終了ポイントとを指定するスライダー画面を示した図である。
【図６】表紙の設定を行うフローチャートである。
【図７】サムネイル静止画と背景パターンとを表示し選択させる画面を示した図である。
【図８】紙めくり疑似動画像データを印刷し製本するフローチャートである。
【図９】本発明の一実施例である紙めくり疑似動画製作システムの構成を示した図である。
【符号の説明】
【００４７】
１  疑似動画製作システム
１０  スマートフォン
１１  ビデオカメラ
２０  クラウドサーバ
３０  コンテンツ変換部
４０  表紙・デザイン生成部
５０  割付マッチング処理部
６０  印刷機
６５  製本機
７０  紙めくり疑似動画
３００  トリミング部
３１０  時間設定部
３２０  プレビュー部
３３０  静止画書出部
５００  静止画自動割付部
５１０  カラーマッチング
６００  デジタル印刷機
６１０  オフセット印刷機
６５０  小ロット用製本機
６６０  大ロット用製本機
【図１】
2018006972.tif 000003
【図２】
2018006972.tif 000004
【図３】
2018006972.tif 000005
【図４】
2018006972.tif 000006
【図５】
2018006972.tif 000007
【図６】
2018006972.tif 000008
【図７】
2018006972.tif 000009
【図８】
2018006972.tif 000010
【図９】
2018006972.tif 000011